(57)【要約】      （修正有）【課題】濾過円の円筒ストレーナの管体内への脱着作業が容易で周辺を汚すことがなく、かつ密封用Ｏ―リングの破片等が濾過済の液体に流れ混入する恐れのない構造とした固型異物除去用濾過装置を提供する。【解決手段】固型物を混有する液状物Ａが流通を可能とした管路内１０に、一端側を閉塞され他端側の開口部外周縁に鍔部１１を形成されその筒壁１２に多数の孔１３，１３・・・を穿設してある筒状フィルタユニット１４を前記管路１０の内壁面と筒状フィルタユニット１４の外壁面に隙間を設けると共に該筒状フィルタユニット１４の前記外周縁の鍔部１１の底面を前記上側筒状体８の下端開口部の内周縁鍔部５の上面に支承させて挿設してあることを特徴とする固型異物除去用濾過装置１とする。【選択図】図１
2008229575.tif 000002
【特許請求の範囲】
【請求項１】
下端に液流入口を形成され上端開口部の外周縁に鍔部を形成してある下側筒状体と、該下側筒状体の上端開口部に連結可能にその下端の開口部周縁の内外を鍔部として形成してあり、かつその側壁の所定箇所に液流出口を形成してある上側筒状体と、該上側筒状体の上端開口部を密封施蓋する蓋部材とを備え、固型物を混有する液状物が流通を可能とした管路内に、一端側を閉塞され他端側の開口部外周縁に鍔部を形成され、その筒壁に多数の孔を穿設してある筒状フィルタユニットを前記管路の内壁面と筒状フィルタユニットの外壁面に隙間を設けると共に該筒状フィルタユニットの前記外周縁の鍔部底面を前記上側筒状体の下端開口部の内周縁鍔部の上面に支承させて挿設してあることを特徴とする固型異物除去用濾過装置。
【請求項２】
前記蓋部材の底面には施蓋することにより前記フィルタユニットの外周縁の鍔部の上面を圧接可能な複数の磁石棒を垂設してある請求項１記載の固型異物除去用濾過装置。
【請求項３】
前記フィルタユニット外周縁の鍔部の底面と前記上側筒状体の下端開口部の内周縁鍔部の上面との間にＯ―リングを嵌設してある請求項１又は２記載の固型異物除去用濾過装置。
【発明の詳細な説明】
【技術分野】
【０００１】
本発明は、液送管路内に設置される液状物中の固型異物除去用の濾過装置に関する。
【背景技術】
【０００２】
従来より液送管路内に設置される固型異物除去用濾過装置として種々の構造のものが使用されている。例えば、筒状のフィルタユニットを配管内に挿着し、そのフィルタユニット内に棒状マグネットを嵌入した構造とすることで、通常の固型異物や金属片等を濾過及び吸着することで除去する技法が特許文献１に記載されている。
【０００３】
また、特許文献２には固型異物を混有する液状物が流通する配管径路の途中に、一端側が閉塞され他端側に開口部を有する筒状フィルタユニットを挿設し、この筒状フィルタユニットの外側から内側へ通過する液状物を筒状フィルタユニットの上方の管路の側壁に穿った液出口から送出し、また濾過終了後のフィルタユニットの脱着はその直上方の閉塞部を開くことで引き抜き可能とした構造のものが記載されている。
【０００４】
【特許文献１】実登３１１８５６９号公報
【特許文献２】特開２００５−０４０６９２号公報
【発明の開示】
【発明が解決しようとする課題】
【０００５】
しかしながら、上記特許文献１に記載の濾過装置にあっては、既存の配管内に棒状マグネットが装入された円筒型ストレーナを嵌着した構造としてあるので、金属異物以外の異物も同時に効率よく除去できるものであるが、異物除去後の円筒ストレーナを一本の長筒の配管内から取出し、洗滌・殺菌する必要があり、そのために配管をその都度分解し、また組み立てるという煩わしい作業を必要とするのみならず、その際作業場周辺を配管等から溢れた液体で汚すという問題がある。
【０００６】
また、特許文献２に記載の濾過装置は、液状物が流通する配管径路途上に、円筒ストレーナを内挿され、円筒ストレーナを通過後の液流の管路をＬ字状とすると共に内挿された円筒ストレーナを液流入方向の直上の開口管路閉塞板に吊持し、これを円筒ストレーナの底部まで挿通した磁石バーの下端に固定支持した構造として使用するものである。
【０００７】
それ故に前記管体の内壁面と円筒ストレーナ外壁とに隙間が生じる。それ故これを埋めるために円筒ストレーナの外周にＯ―リングを嵌め込んで密封する構造としてある。
【０００８】
従って、この特許文献２記載の濾過装置は固型物除去後に液状物が流通する配管路から取外し分解することなく、前記開口管路閉塞板を開口することで円筒ストレーナのみを取出し点検し、洗滌・殺菌できる点では評価される。しかしながら、この取出し点検や交換作業の時に前記密封用に嵌めこんだＯ―リングは円筒ストレーナと一緒に管路から引き抜く必要があり、この際Ｏ―リングが脱落したり、あるいはＯ―リングに摩耗や千切れが生じている場合、円筒ストレーナより後流側の濾過済みの液状物へ破片等が流入するという問題が発生し、これを避けるために作業上の緊張を余儀なくされるものであった。
【０００９】
本発明は上記の問題に鑑みなされたもので、液状物の固型異物や金属異物を濾過し除去するに際して、濾過用の円筒ストレーナの管路筒状体内への脱着作業を容易でかつ周辺を液状物で汚すことがないものとし、脱着時に密封用Ｏ―リングの切片等が濾過済みの液状物に流入（混入）する恐れのない構造とした固型異物除去用濾過装置を提供することを目的とする。
【課題を解決するための手段】
【００１０】
すなわち、本発明固型異物除去用濾過装置は、
下端に液流入口を形成され上端開口部の外周縁に鍔部を形成してある下側筒状体と、該下側筒状体の上端開口部に連結可能にその下端の開口部周縁の内外を鍔部として形成してあり、その側壁の所定箇所に液流出口を形成してある上側筒状体と、該上側筒状体の上端開口部を密封施蓋する蓋部材とを備え、固型物を混有する液状物が流通を可能とした管路内に、一端側を閉塞され他端側の開口部外周縁に鍔部を形成されその筒壁に多数の孔を穿設してある筒状フィルタユニットを前記管路の内壁面と筒状フィルタユニットの外壁面に隙間を設けると共に該筒状フィルタユニットの前記外周縁の鍔部底面を前記上側筒状体の下端開口部の内周縁鍔部の上面に支承させて挿設してあることを特徴とする。
【００１１】
このような構造の固型物除去用濾過装置とすることで、濾過前後の液状物が混合することをなくし、筒状フィルタユニットを挿設した下側筒状体と液流出口を形成した上側筒状体とは容易にその連結を解除することができるので筒状フィルタの脱着作業も容易になり、また上下に分解分離された筒状体等の洗滌・殺菌も隅々まで確実に衛生処理できるのでよい。
【００１２】
この際、前記蓋部材は施蓋することによって前記フィルタユニットの外周縁鍔部の上面を圧接可能な複数の磁石棒をその底面に垂設しておくことで、液状物中金属固型物を除去できるだけでなく、前記上側筒状体の内周縁鍔部の上面に支承されたフィルタユニットはより一層強く固定されるので、液状物の濾過を安定した状態でスムーズに行うことができる。
【００１３】
また、前記フィルタユニット外周縁の鍔部の底面と前記上側筒状体の下端開口部の内周縁鍔部の上面との間にＯ―リングを嵌設しておくことで、濾過前と後の液状物の混合を確実に防止できると共に濾過処理後に管路内からフィルタユニットを取り出す際にＯ―リングはフィルタユニット外周縁の鍔部の底面側にそのまま残り、一緒に引き出されることはない。
従って、例えＯ―リングに損傷（千切れ）があっても、濾過後の液状物に混入することはないのでよい。
【発明の効果】
【００１４】
上述したように、本発明固型異物除去用濾過装置は、筒状のフィルタユニットを収容する管路を分離可能な上下二段の筒状体を連結した形状のものとし、フィルタユニットを押圧し固定する手段として複数の磁石棒を用い、また濾過前後の液状物を区分し混合することを防止するための密封用Ｏ―リングの嵌設位置をフィルタユニット脱着時に物理的干渉を受けないフィルタユニットの外周縁鍔部の底面より下側位置に配置した構造としてあるので、組立、分解、点検、洗滌殺菌等の処理作業が容易となり、かつ、作業中に液状物で周辺の汚れを少なく敏速に行うことができる。
【００１５】
また、フィルタユニットを複数の磁石棒で押圧固定する構造としてあることで、従来の単体で挿入した磁石棒に比べて表面積が広くなり、より多くの金属異物を吸着できると共にフィルタユニットをしっかりと固定できる。
さらに、濾過処理中にＯ―リングが破損しても、その破損片がフィルタユニット脱着時に濾過後の液状物へ流入（混入）することが生じない装置を提供することができる。
【発明を実施するための最良の形態】
【００１６】
以下、本発明固型異物除去用濾過装置を図面に示す実施の形態を参照して説明する。
【実施例】
【００１７】
［実施例１］図１は、本発明固型異物除去用濾過装置の一実施例の組立概要を示す斜視説明であり、図２は図１の上半部の横設外観斜視図である。
図３は本発明固型異物除去用濾過装置の上下筒状体に筒状フィルタユニットを挿設する途中状態を示す斜視説明図であり、図４は本発明固型異物除去用濾過装置の一実施例の要部拡大断面図ある。
図５は従来の固型物除去用濾過装置の一例を示す縦断面図である。
【００１８】
図１において、固型異物除去用濾過装置１は下端に液流入口２を形成され上端開口部の外周縁に鍔部３を形成してある下側筒状体４と、該下側筒状体４の上端開口部に連結可能にその下側開口部周縁の内外を鍔部５、６として形成してあり、かつその側壁の所定箇所に液流出口７を形成してある上側筒状体８と、該上側筒状体８の上端開口部を密封施蓋する蓋部材９とを備え、固型物を混有する液状物Ａが流通可能とした管路１０内に、一端側を閉塞され他端側の開口部外周縁に鍔部１１を形成され、その筒壁１２に多数の孔１３，１３・・・を穿設してある筒状フィルタユニット１４（図３参照）を前記管路１０の内壁面と筒状フィルタユニット１４の外壁面に隙間を設けると共に該筒状フィルタユニット１４の前記外周縁の鍔部１１の底面を前記上側筒状体８の下端開口部の内周縁の鍔部５の上面に支承させて挿設してある。
【００１９】
そして、前記フィルタユニット１４の外周縁鍔部１１の底面と前記上側筒状体８の下端開口部の内周縁の鍔部５の上面との間にはＯ―リング１５が嵌設してあり、前記蓋部材９の底面には、施蓋することによって前記フィルタユニット１４の外周縁の鍔部１１の上面を圧接できる複数の磁石棒１６，１６，１６・・・を垂設してある。本実施例による固型異物除去用濾過装置１はは上記の構造とされており、これを使用する際には、まず下側筒状体４にＯーリング１５をその内周縁鍔部５に嵌設してある上側筒状体を戴置連結し、両方の筒状体の外周縁鍔部３，６を接合し、図示しない締結環で接合部を固定し一本の筒状体４，８とする。
【００２０】
次に、この連結された筒状体４，８の上部開口部から筒状フィルタユニット１４を挿入し、その外周縁鍔部１１を前記Ｏ―リング１５に乗せて下側筒状体４内に吊持状態として垂設する。（図３、図４参照）
続いて、筒状体４，８の上部開口部を底面に複数の磁石棒１６，１６・・・を垂設してある蓋部材９で施蓋すると共に該磁石棒１６，１６・・・の下端で筒状フィルタユニット１４の外周縁鍔部１１の上面を押圧固定する。（図２参照）施蓋後に蓋部材９と上側筒状体８の外周縁鍔部６ａは図示しない公知の環状締付具によって固定され組立は完了する。
【００２１】
このようにして組立てられた固型異物除去用濾過装置１は液流入口２と液流出口７を液送管路内に接続し設置することで金属粉等も除去できる異物濾過装置として用いられる。
【００２２】
なお、本実施例における濾過装置１は図４に示すように蓋部材９の上面に取手１７を、また筒状フィルタユニット１４の外周縁鍔部１１の上面に引抜用取手１８をそれぞれ分解組立作業を容易にするため配設してある。
【００２３】
また、図４中の符号１９，１９は鍔部３，６からの液漏れ防止用パッキンである。本実施例においては、磁石棒１６，１６・・・、Ｏ―リング１５、パッキン１９以外の各部品の材質はステンレス鋼材としてあるがこれに限らず、下側筒状体４を濾過状態を観察できるように透明な硬質ガラスやプラスチック製として製してもよい。
【００２４】
また、本実施例に用いる筒状フィルタユニット１４の多孔１３，１３・・・の孔径の大きさは３０メッシュのものを使用しているが、液状物の種類、粘度によって適宜定めることができる。
【００２５】
次に、本実施例の固型異物除去用濾過装置１（以下たんに「本装置」という）の作用について述べる。
【００２６】
本装置１の液流入口２から流入した液体Ａは筒状フィルタユニット１４の外側壁と下側筒状体４の内壁との隙間に流入する。下側筒状体４の上部は上側筒状体８の内周縁鍔部５で被蓋され行き止まりとされ、またこの内周縁鍔部５の上面と筒状フィルタユニット１４の外周縁鍔部１１の底面とはＯ―リング１５を介して完全に密封状態とされているので、流入口から前記隙間に流入した液体Ａは筒状フィルタユニット１４の筒壁に穿かれた多孔１３，１３・・・を通り抜け筒状フィルタユニット１４内を経て上側筒状体８内へ流入する。
【００２７】
この時液体中の固型異物の多孔１３，１３・・・より径の大なるものは筒状フィルタユニット１４の外側壁で堰止められ濾過される。上側筒状体８内に流入した液体は複数の磁石棒１６，１６・・・の間を通り抜け液流出口７から流出される。この途上において液体中の金属異物は磁石棒１６，１６・・・の外表面に吸着され液体中から除去される。
【図面の簡単な説明】
【００２８】
【図１】本発明固型異物除去用濾過装置の組立構造の一実施例を示す斜視説明図。
【図２】図１の固型異物除去用濾過装置の上半部を斜め下方から視た外観斜視図。
【図３】本発明固型異物除去用濾過装置の上下の筒状体に筒状フィルタユニットを挿設する途中状態の一実施例を示す斜視説明図。
【図４】本発明固型異物除去用濾過装置の一実施例の要部拡大断面図。
【図５】従来の固型物除去用濾過装置の一例を示す縦断面図。
【００２９】
１    固型異物除去用濾過装置
２    液流入口
３    下側筒状体の外周縁鍔部
４    下側筒状体
５    上側筒状体の下部内周縁の鍔部
６    上側筒状体の下部外周縁の鍔部
６ａ  上側筒状体の上部外周縁の鍔部
７    液流出口
８    上側筒状体
９    蓋部材
１０    管路
１１    筒状フィルタユニットの外周縁鍔部
１２    筒壁
１３    孔
１４    筒状フィルタユニット
１５    Ｏ―リング
１６    磁石棒
１７    取手
１８    引抜用取手
１９    パッキン
Ａ    液体
【図１】
2008229575.tif 000003
【図２】
2008229575.tif 000004
【図３】
2008229575.tif 000005
【図４】
2008229575.tif 000006
【図５】
2008229575.tif 000007